(57)【特許請求の範囲】
【請求項１】
分岐部を有するワイヤハーネスの分岐点にバンドクランプを装着してなるワイヤハーネスの組立方法であって、
電線の布線経路に沿って立設された電線保持具を備えたワイヤハーネスの組立作業板上で、正規の分岐点に対応する位置にバンドクランプを位置決め保持するクランプ保持具を立設し、該クランプ保持具より下流側でクランプ保持具に干渉しない程度離間した位置に仮分岐点を設定して分岐用電線保持具を立設し、
分岐部への電線の布線時には、上記仮分岐点の分岐用電線保持具を基点として電線を分岐部の各端末部の方向へ分岐布線し、
ついで、クランプ保持具に保持されたバンドクランプを正規の分岐点に位置する電線の外周に位置決めして装着し、上記バンドクランプの装着個所を分岐点としてワイヤハーネスを組立作業板から取り外すようにしていることを特徴とするワイヤハーネスの組立方法。
【請求項２】
上記正規の分岐点から仮分岐点を経由して各端末部まで至る経路の迂回寸法を、正規の分岐点から各端末部までの完成寸法に合致させるべく各端末部の端末用電線保持具の立設位置を設定している請求項１のワイヤハーネスの組立方法。
【請求項３】
上記請求項１または請求項２のワイヤハーネスの組立方法において仮分岐点に使用する分岐用電線保持具であって、
Ｕ字状の保持部の上端に、該保持部に布線される電線の軸方向上流側に向かって突出する邪魔棒を突設していることを特徴とする分岐用電線保持具。
【発明の詳細な説明】
【０００１】
【発明の属する技術分野】
本発明は、ワイヤハーネスの組立方法およびこれに使用する分岐用電線保持具に関し、詳しくは分岐点へのバンドクランプの装着を正確かつ容易に行い得るようにするものである。
【０００２】
【従来の技術】
図７の設計図に示すように、従来のワイヤハーネスＷ／Ｈにおける分岐部１は、分岐点２をテープＴにて固定すると共に、分岐点２から所定寸法隔てた上流側のポイントにバンドクランプ３を装着し、該バンドクランプ３の装着位置を車体パネルへの取付位置と対応させていた。このようなワイヤハーネスＷ／Ｈの分岐部１を組み立てるには、図８に示すように、組立作業板４上に設定した分岐点２に分岐用電線保持具５を立設し、これを分岐基点として各分岐方向に所定寸法隔てた位置に端末用電線保持具５ａ、５ｂを立設している。一方、車体パネルへの取付基準となるバンドクランプ３は、分岐用電線保持具５より上流側で互いに干渉しない所定位置に立設したクランプ保持具６で保持するようにしている。そして、分岐部１への電線の布線に際しては、分岐点２を基点として各分岐方向へ電線を布線し、端末用電線保持具５ａ、５ｂにコネクタＣを係止することで分岐部１の寸法出しを行っている。
【０００３】
ついで、分岐点２の位置を固定するために、分岐点２にテープＴを巻き付けると共に、クランプ保持具６で位置決めされた取付ポイントにバンドクランプ３を装着するようにしている。
【０００４】
【発明が解決しようとする課題】
しかしながら、ワイヤハーネスＷ／Ｈの仕様によっては、図２に示すように、分岐点２とバンドクランプ３の装着位置を一致させるようにしたものが要求されるようになってきた。この場合、従来の組立作業板４上での分岐部の組み立てに方法では、分岐点２に立設した分岐用電線保持具５とクランプ保持具６との干渉が生じるため、クランプ保持具６を分岐点２に立設することができないという問題があった。
【０００５】
本発明は上記した問題に鑑みてなされたもので、分岐点にバンドクランプを装着する仕様のワイヤハーネスの組立作業を容易に行い得るようにすることを課題としている。
【０００６】
【課題を解決するための手段】
上記課題を解決するため、本発明は、請求項１で、分岐部を有するワイヤハーネスの分岐点にバンドクランプを装着してなるワイヤハーネスの組立方法であって、
電線の布線経路に沿って立設された電線保持具を備えたワイヤハーネスの組立作業板上で、正規の分岐点に対応する位置にバンドクランプを位置決め保持するクランプ保持具を立設し、該クランプ保持具より下流側でクランプ保持具に干渉しない程度離間した位置に仮分岐点を設定して分岐用電線保持具を立設し、
分岐部への電線の布線時には、上記仮分岐点の分岐用電線保持具を基点として電線を分岐部の各端末部の方向へ分岐布線し、
ついで、クランプ保持具に保持されたバンドクランプを正規の分岐点に位置する電線の外周に位置決めして装着し、上記バンドクランプの装着個所を分岐点としてワイヤハーネスを組立作業板から取り外すようにしていることを特徴とするワイヤハーネスの組立方法を提供している。
【０００７】
上記方法によれば、分岐点へのバンドクランプの装着時に、クランプ保持具が分岐用電線保持具と干渉することなく立設でき、よってバンドクランプを正確な位置に装着することができる。分岐部の布線に際しては、仮分岐点に立設した分岐用電線保持具により、その分岐布線作業を容易に行うことができる。
【０００８】
請求項２では、上記正規の分岐点から仮分岐点を経由して各端末部まで至る経路の迂回寸法を、正規の分岐点から各端末部までの完成寸法に合致させるべく各端末部の端末用電線保持具の立設位置を設定している。具体的には、仮分岐点を経由することで長くなった布線経路分を、分岐部の各端末の位置決めをする端末用電線保持具の立設位置を調整することで吸収するようにしている。このようにすれば、仮分岐点を経由する上記組立方法によっても、正規の分岐点となるバンドクランプの装着位置から各端末部までの完成寸法を設計通りの寸法に正確に合致させることができる。
【０００９】
請求項３では、仮分岐点に使用する分岐用電線保持具であって、
Ｕ字状の保持部の上端に、該保持部に布線される電線の軸方向上流側に向かって突出する邪魔棒を突設していることを特徴とする分岐用電線保持具を提供している。この分岐用電線保持具によれば、邪魔棒の存在により電線保持部に布線された電線に対し、仮分岐点であるにも拘わらず誤ってテープ巻きを施すのを未然に防止できる。
【００１０】
【発明の実施の形態】
以下、本発明の実施形態を図面を参照して説明する。
図１は、ワイヤハーネスＷ／Ｈの組立作業板１４を示し、該組立作業板１４は、分岐点１２にバンドクランプ１３を装着することで、該装着位置を基点として分岐する設計（図２）のワイヤハーネスＷ／Ｈの組立に対応している。分岐部１１の組立は、幹線Ｗａを保持する幹線用電線保持具１５と、正規の分岐点１２に立設されるクランプ保持具１６と、該クランプ保持具１６より下流側の仮分岐点１２ａに立設される分岐用電線保持具１５ａと、各分岐線Ｗｂ，Ｗｃの分岐端末部に立設される端末用電線保持具１５ｂ、１５ｃから構成されている。
【００１１】
上記幹線用電線保持具１５、分岐用電線保持具１５ａおよび端末用電線保持具１５ｂ、１５ｃは、図３に示すように、いずれも布線される電線を保持するＵ字状の保持部１７ａと、組立作業板１４に固定されて上記保持部１７ａを支持する支柱１７ｂからなっている。一方、上記クランプ保持具１６は、図４に示すように、バンドクランプ１３のクリップ部１３ａを嵌合保持する頭部１６ａと、組立作業板１４上に起伏自在に取り付けられた支軸１６ｂから構成している。
【００１２】
正規の分岐点１２に立設されたクランプ保持具１６は、頭部１６ａにてバンドクランプ１３を保持した状態で、電線の布線時には、布線作業の障害とならないように倒伏状態とされる。一方、バンドクランプ１３の装着時には、支軸１６ｂを起立することで、布線された幹線Ｗａの分岐点１２に対し、保持されたクランプ１３を横方向から沿わせることができるようになっている。
【００１３】
上記分岐用電線保持具１５ａは、クランプ保持具１６より下流側で該クランプ保持具１６に干渉しない程度離間した位置で、幹線Ｗａの軸線方向の延長線上に立設され、該立設位置を仮分岐点１２ａとしている。また、各分岐端末部に立設される上記端末用電線保持具１５ｂ、１５ｃは、仮分岐点１２ａを基点として所定の分岐方向、分岐長さ隔てた位置に立設され、分岐線Ｗｂ、Ｗｃの各端末に取り付けられたコネクタＣ１、Ｃ２の基部を保持するようにしている。ここで、上記正規の分岐点１２から仮分岐点１２ａを経由して各端末に至る経路の迂回寸法（Ｌａ＋Ｌｂ、Ｌａ＋Ｌｃ）を、図２における正規の分岐点１２から各端末部までの完成寸法（Ｌ１、Ｌ２）にそれぞれ合致（Ｌ１＝Ｌａ＋Ｌｂ，Ｌ２＝Ｌａ＋Ｌｃ）させるべく各端末部の端末用電線保持具１５ｂ、１５ｃの立設位置を設定している。
【００１４】
上記組立作業板１４上において、分岐部１１を組み立てるには、まず図５（Ａ）に示すように、電線保持具１５に沿って布線される各電線を、仮分岐点１２ａを基点として各端末用保持具１５ｂ、１５ｃの方向へ分岐布線し、ここで端末に取り付けられたコネクタＣ１，Ｃ２にそれぞれ端子挿入する。分岐部１１の全ての布線が完了した後、図６（Ａ）に示すように、クランプ保持具１６を起立させて、該クランプ保持具１６に保持されたバンドクランプ１３を、正規の分岐点１２における幹線Ｗａの外周に配置する。そして、正規の分岐点１２への位置決めが完了した時点で、バンド部１３ｂを幹線Ｗａの外周に巻き付けることでバンドクランプ１３を固定する。
【００１５】
この状態で正規の分岐点１２には、バンドクランプ１３が装着されていることにより、分岐形態が維持され、よって正規の分岐点１２には分岐形態を維持するために別途テープ巻きを施す必要がない。そして、幹線Ｗａ等の他の部分にテープ巻きを施して（図示せず）ワイヤハーネスＷ／Ｈの形態を固定した後、ワイヤハーネスＷ／Ｈを組立作業板１４から取り外すことで、仮分岐点１２ａにおける仮の分岐形態が解除され、正規の分岐点１２から分岐したワイヤハーネスＷ／Ｈ（図５（Ｃ））を得ることができる。
【００１６】
図６は、仮分岐点１２ａで使用される分岐用電線保持具２５の他の実施形態を示し、Ｕ字状の保持部２５ａのうち、少なくとも一方の保持棒２５ｂ、２５ｃの上端に、保持部２５ａに布線される幹線Ｗａの軸方向に沿って邪魔棒２５ｄを突設している。該邪魔棒２５ｄは、支軸２５ｅにて組立作業板２４へ立設した状態において、邪魔棒２５ｄが布線される電線の上流側に向かって突出されるよう、その取り付け方向を設定している。上記実施形態の分岐用電線保持具２５を仮分岐点１２ａに使用すれば、仮分岐点１２ａが仮の位置であるにも拘わらず、誤って仮分岐点１２ａに保持された電線Ｗにテープ巻きを施そうとすれば、邪魔棒２５ｄの存在が邪魔になって、この位置への誤ったテープ巻き操作を未然に防止することができる。
【００１７】
【発明の効果】
以上の説明より明かなように、本発明に係わるワイヤハーネスの組立方法によれば、分岐点にバンドクランプを装着する設計のワイヤハーネスの組立に際し、仮の分岐点を設定することで、通常の分岐部の組立作業と同様の布線作業により容易に組み立てることができる。また、仮の分岐点に立設する電線保持具として、Ｕ字状の保持部の上端に、該保持部に布線される電線の軸方向上流側に向かって突出する邪魔棒を突設したものを使用することで、仮の分岐点へテープ巻きを施す等の誤作業を未然に防止することができる。
【図面の簡単な説明】
【図１】本発明に係るワイヤハーネスの組立方法を実施する組立作業板の平面図である。
【図２】組み立てられるワイヤハーネスの設計図である。
【図３】組立作業板上の電線保持具の立設状態を示す図である。
【図４】クランプ保持具の正面図である。
【図５】（Ａ）乃至（Ｃ）は、分岐部の組立状態を示す図である。
【図６】分岐用電線保持具の他の実施形態を示す斜視図である。
【図７】従来の分岐部の組立状態の設計図である。
【図８】従来の分岐部の組立作業板での組立状態を示す平面図である。
【符号の説明】
Ｗ／Ｈ  ワイヤハーネス
１１  分岐部
１２  正規の分岐点
１２ａ  仮分岐点
１３  バンドクランプ
１４  組立作業板
１５ａ  分岐用電線保持具
１５ｂ、１５ｃ  端末用電線保持具
１６  クランプ保持具
２５ａ  保持部
２５ｄ  邪魔棒
【図１】
0003584755.tif 000002
【図２】
0003584755.tif 000003
【図３】
0003584755.tif 000004
【図４】
0003584755.tif 000005
【図５】
0003584755.tif 000006
【図６】
0003584755.tif 000007
【図７】
0003584755.tif 000008
【図８】
0003584755.tif 000009